(57)【要約】【課題】アクチュエータの駆動端子とシート状配線基材の給電端子とをハンダを介して接合する液滴吐出ヘッドにおいて、シート状配線基材上に硬化に伴い収縮する接着剤を用いて剛性板を接合しようとする場合に、シート状配線基材の反り上がりを防止してアクチュエータから剥離しないようにするための技術を提供する。【解決手段】液滴吐出ヘッド１の帯状のシート状配線基材３０の接合部３０ａに配置した給電端子と、アクチュエータ１１の駆動信号用端子とを対応して接続するように両者を重ね、その接合部３０ａの外周縁のうち、給電端子６０と接続する駆動信号出力配線７２とが交わる範囲を少なくとも除いた部分に切欠形状部８０を形成した。【選択図】図７
2009241507.tif 000002
【特許請求の範囲】
【請求項１】
共通液体室からノズルに至る複数の個別液体流路を有する流路ユニットと、
前記個別液体流路の各々に対応して設けられた複数の液体吐出エネルギー付与部と前記複数の液体吐出エネルギー付与部に駆動信号を入力する複数の駆動信号用端子とを有するアクチュエータと、
前記アクチュエータにその一部分が重ねられた帯状のシート状配線基材と、前記アクチュエータと重ねられた範囲に設けられて前記複数の駆動信号用端子とハンダを介して接合された複数の給電端子と、前記複数の給電端子に接続された配線とを有する配線ユニットと、
前記配線ユニットを介して前記アクチュエータに積層され、前記シート状配線基材と硬化に伴って収縮する接着剤にて接合された剛性板とを備え、
前記シート状配線基材は、前記アクチュエータと重ねられた範囲の外周縁のうち、この外周縁と前記配線とが交わる範囲を少なくとも除いた部分のいずれかに切欠形状部を有している、
液滴吐出ヘッド。
【請求項２】
前記切欠形状部は、前記シート状配線基材の前記アクチュエータと重ねられた範囲のうち前記複数の給電端子が設けられた部分の外周に沿って形成されている、
請求項１に記載の液滴吐出ヘッド。
【請求項３】
前記切欠形状部は、前記シート状配線基材の前記アクチュエータと重ねられた範囲の外周縁に沿って位置している複数の前記給電端子間のシート状配線基材を分断するように連続して切り欠かれた凹凸形状を有している、
請求項１又は請求項２に記載の液滴吐出ヘッド。
【請求項４】
前記シート状配線基材の前記アクチュエータと重ねられた範囲の外周縁に、前記給電端子と接続されないダミー配線が設けられている、
請求項１〜請求項３のいずれか一項に記載の液滴吐出ヘッド。
【請求項５】
前記アクチュエータ、前記配線ユニット、及び前記剛性板の積層体の周囲を間隔をおいて囲むように設けられ、前記流路ユニットに接合された枠状の補強フレームを、さらに備え、
前記積層体と前記補強フレームとの間隙に封止材が充填されている、
請求項１〜請求項４のいずれか一項に記載の液滴吐出ヘッド。
【請求項６】
前記剛性板は、その外周縁に切欠を有し、前記剛性板の前記切欠と対応する前記シート状配線基材の外周縁に、前記切欠形状部が設けられている、
請求項１〜請求項５のいずれか一項に記載の液滴吐出ヘッド。
【発明の詳細な説明】
【技術分野】
【０００１】
本発明は、流路ユニットにアクチュエータ、配線ユニット及び剛性板が順次積層された構造の液滴吐出ヘッドに関する。
【背景技術】
【０００２】
例えば、インクジェット記録装置に搭載されるインク吐出ヘッドなどの液滴吐出ヘッドは、液滴を吐出する複数のノズルと共通液体室からノズルに至る複数の個別液体流路が形成された流路ユニットと、個別液体流路内の液体に吐出エネルギーを付与する吐出エネルギー付与部と、吐出エネルギー付与部に駆動信号を供給する信号回路や電源配線が設けられた配線ユニットとを備えている。このような吐出エネルギー付与部としては、例えば、個別液体流路に備えた圧力室の容積を変化させることにより圧力室内の液体に吐出エネルギーとしての圧力を付加する圧電式のアクチュエータが知られている。
【０００３】
特許文献１に記載のインクジェットヘッドは、圧電式のアクチュエータを備え、各圧力室に対向する位置に設けられた個別電極と、複数の圧力室に跨る共通電極と、複数の個別電極と共通電極とによって挟まれた圧電シートを備えている。このアクチュエータ上には、各個別電極と電気的に接続された外部電極と、共通電極と電気的に接続された外部電極とが配置されている。また、シート状配線基材の一平面上には、駆動ＩＣにより生成された駆動信号を出力する複数の駆動信号用の端子電極と、駆動信号の基準となる定電位信号用の端子電極とが配置されている。そして、シート状配線基材の端子電極がハンダバンプを介して対応するアクチュエータの外部電極と接合されることにより、アクチュエータとシート状配線基材とが接続されている。
【０００４】
上記のようなインクジェットヘッドでは、アクチュエータの駆動により、駆動ＩＣの発熱やアクチュエータ自体の発熱などの局所的な発熱が起こり、この熱が圧電ユニットや流路ユニットに伝達して、熱分布が不均一となることがある。この結果、アクチュエータの駆動にバラツキが生じたり、流路ユニット内のインクの粘性が不均一になったりするので、ノズル孔からの液滴の吐出特性にばらつきが生じる。そこで、特許文献１に記載のインクジェットヘッドにおいては、シート状配線基材の背面（上面）におけるアクチュエータと対応する位置には、剛性板が粘着テープ等の接着剤で粘着されている。前記剛性板は熱伝導性に優れた金属素材で構成されており、液滴吐出ヘッド全体の剛性を高めるとともに、熱分布を均一化させる機能を有している。
【特許文献１】特開２００７−２７６３３０号公報
【発明の開示】
【発明が解決しようとする課題】
【０００５】
上述のように剛性板を供えたインクジェットヘッドを製造する際に、図２０に示すように、まず、アクチュエータ１１に設けられた外部電極(図示略)と配線ユニット１２が備えるシート状配線基材３０に設けられた端子電極(図示略)とをハンダバンプ６３を介して接合することによって、アクチュエータ１１とシート状配線基材３０とを接合する。続いて、シート状配線基材３０のアクチュエータ１１と接合された面とは反対側の面に剛性板１３を接着剤６４を用いて接合する。ここで、接着剤として、流動性のある接着剤（液状接着剤とする）を使われることがある。液状接着剤としては、例えば、エポキシ接着剤、シリコン接着剤や瞬間接着剤などの市場に流通している汎用性のある液状接着剤があげられる。このような液状接着剤は、被接合材への塗布時または塗布した初期は流体状であり、その体積が収縮して硬化することで被接合材同士を接着する。特に、瞬間接着剤などの比較的揮発しやすい溶媒（瞬間接着剤の場合は水）を含む接着剤は、硬化時に溶媒が蒸発するため、硬化すると体積が減損して収縮が著しい。
【０００６】
図２１及び図２２に示すように、このような接着剤６４を用いて、シート状配線基材３０と剛性板１３とを接着すると、接着剤６４が収縮（図２１の矢印方向に収縮）して、シート状配線基材３０の剛性板１３との接合面の接着剤６４が接触している範囲に、接着剤の収縮応力に起因する収縮方向(図２２の内側方向)への引っ張り力が作用する。このような引っ張り力が生じると、接着剤６４と接触しているシート状配線基材３０を伴って矢印方向へ引っ張られて剛性板１３側へ撓むなどして、特に図２０〜２２に示すようなシート状配線基材３０の自由端となる外周縁部においては、自由端が剛性板１３側へ反り上がろうとする。
【０００７】
また、図２２に示すように、シート状配線基材３０の外周縁部に配置された複数の端子電極は、アクチュエータ１１の対応する外部電極とハンダバンプ６３によって接合されて固定されているため、接着剤の収縮応力によりシート状配線基材３０の外周縁部に内側に向かう引っ張り力が作用したときに、隣接する端子電極同士間にも互いに向き合う引っ張り力が作用する。ここで、シート状配線基材３０の上側に配置された剛性板１３によりシート状配線基材３０の撓みや反りが抑制されているにもかかわらず、引っ張り力がハンダバンプ６３による接合力に勝ると、図２１に示すように、シート状配線基材３０の外周縁部がアクチュエータ１１から剥離して電気的な接続不良を引き起こすことがあった。
【０００８】
また、特許文献１に記載されているように、剛性板１３のシート状配線基材３０が引き出されている側の端縁に、剥がれ防止用の切欠１３ａが設けられることがある。しかし、このような切欠１３ａが設けられた剛性板１３を備える液滴吐出ヘッドでは、図２３に示すように、接着剤６４が収縮してシート状配線基材３０に撓みや反りが生じたときに、切欠１３ａと重なるシート状配線基材３０の上面に剛性板１３が存在しないため、シート状配線基材３０の切欠１３ａと重なる部分は反り上がり易く、剥離し易くなってしまう。
【０００９】
本発明は上記のような課題を解決するためになされたものであって、アクチュエータの表面電極と配線ユニットの端子とがハンダにて接合された液滴吐出ヘッドにおいて、配線ユニットの外周縁の撓みや反りを抑制し、特に、配線ユニット上に剛性板を接合する際に用いる接着剤の収縮に起因する配線ユニットとアクチュエータとの剥がれを防止することを目的とするものである。
【課題を解決するための手段】
【００１０】
本発明の液滴吐出ヘッドは、共通液体室からノズルに至る複数の個別液体流路を有する流路ユニットと、前記個別液体流路の各々に対応して設けられた複数の液体吐出エネルギー付与部と前記複数の液体吐出エネルギー付与部に駆動信号を入力する複数の駆動信号用端子とを有するアクチュエータと、前記アクチュエータにその一部分が重ねられた帯状のシート状配線基材と、前記アクチュエータと重ねられた範囲に設けられて前記複数の駆動信号用端子とハンダを介して接合された複数の給電端子と、前記複数の給電端子に接続された配線とを有する配線ユニットと、前記配線ユニットを介して前記アクチュエータに積層され、前記シート状配線基材と硬化に伴って収縮する接着剤にて接合された剛性板とを備え、前記シート状配線基材は、前記アクチュエータと重ねられた範囲の外周縁のうち、この外周縁と前記配線とが交わる範囲を少なくとも除いた部分のいずれかに切欠形状部を有しているものである。
【００１１】
上記構成の液滴吐出ヘッドは、流路ユニットにアクチュエータとシート状配線基材とを積層接合し、さらにシート状配線基材上に、硬化に伴い収縮する接着剤を用いて剛性板を接合しようとする場合に、シート状配線基材の自由端である外周縁のいずれかに切欠形状部を備えているので、接着剤の収縮に伴ってシート状配線基材に生じる引っ張り力の大きさやその方向が分散されるために、シート状配線基材の撓みや反りを抑制することができ、アクチュエータとの剥離を防止することができる。ここで、前記切欠形状部は、シート状外周縁のうち、配線と交わる範囲を少なくとも除いた部分の全周に設けられているのがより効果的であるが、これらのうち一部分であってもその効果を得ることができる。
【００１２】
前記切欠形状部は、前記シート状配線基材の前記アクチュエータと重ねられた範囲のうち前記複数の給電端子が設けられた部分の外周に沿って形成されていることがよい。かかる構成により、複数の給電端子と対応して接続される複数の駆動信号用端子の接続位置よりも外周側でシート状配線基材に生じる引っ張り力の大きさやその方向が分散されるため、シート状配線基材の撓みや反り上がりによる給電端子と駆動信号用端子との剥離が生じ難く、電気的な不具合を防ぐことができる。
【００１３】
また、前記切欠形状部は、前記シート状配線基材の前記アクチュエータと重ねられた範囲の外周縁に沿って位置している複数の前記給電端子間のシート状配線基材を分断するように連続して切り欠かれた凹凸形状を有していることが望ましい。
【００１４】
複数の給電端子と対応する複数の駆動信号用端子とがハンダを介して電気的且つ機械的に接合されていることから、接着剤の収縮に起因する引っ張り力は、シート状配線材の外周縁から内側に向かう力だけでなく、隣接する給電端子を引っ張り合う力も生じる。これに対し、上記構成の液滴吐出ヘッドでは、切欠形状部では、シート状配線基材の給電端子間が切欠にて分断されているため、隣接する給電端子を引っ張り合う力を分断することができ、シート状配線基材の撓みや反りを抑制することができる。さらに、給電端子と駆動信号用端子とがハンダで接合されるときに、シート状配線基材の給電端子間の範囲は、熱により膨張して撓みや反りが生じ易いが、切欠形状部では、シート状配線基材の給電端子間が切欠にて分断されているため、隣接する給電端子の間に熱膨張により生じる圧縮力を分断することができ、シート状配線基材の撓みや反りを抑制することができる。
【００１５】
また、前記液滴吐出ヘッドにおいて、前記シート状配線基材の前記アクチュエータと重ねられた範囲の外周縁に、前記給電端子と接続されないダミー配線を設けることが望ましい。
【００１６】
上記構成により、ダミー配線が設けられたシート状配線基材の外周縁部の剛性を向上させることができる。これにより、シート状配線基材の外周縁部に引っ張り力や圧縮力が作用した場合に、これに起因するシート状配線基材の撓みや反りを抑制することができる。
【００１７】
また、本発明の液滴吐出ヘッドは、前記アクチュエータ、前記配線ユニット、及び前記剛性板の積層体の周囲を間隔をおいて囲むように設けられ、前記流路ユニットに接合された枠状の補強フレームを、さらに備え、前記積層体と前記補強フレームとの間隙に封止材を充填した構成としてもよい。
【００１８】
上記構成により、シート状配線材の切欠形状部の切欠に封止材が留まって、アクチュエータとシート状配線ユニットとの間が確実に封止される。よって、液体の漏れに対するアクチュエータとシート状配線ユニットとの間のシール性を向上させ、電気的な不具合の発生を防止することができる。
【００１９】
さらに、前記液滴吐出ヘッドにおいて、前記剛性板は、その外周縁に切欠を有し、前記剛性板の前記切欠と対応する前記シート状配線基材の外周縁に、前記切欠形状部が設けられていることが好ましい。
【００２０】
上記構成により、剛性板の外周縁に形成された切欠の部分ではシート状配線基材が剛性板に押圧されていないため反りが生じやすいが、切欠形状部によりその撓みや張りを抑制することができる。また、補強フレームと前記積層体との間に封止材を注入する際に、剛性板の切欠を利用して注入管を差し込むことができる。このとき、剛性板の切欠が設けられた部分では、補強フレームとの間の間隙が他の部分よりも広くなるため、このぶん、補強フレームとの間の封止材を充填させる間隙の幅を狭くして、液滴吐出ヘッドを小型化することができる。
【発明の効果】
【００２１】
本発明は、以下に示すような効果を奏する。
【００２２】
本発明によれば、アクチュエータの駆動信号用端子とシート状配線基材の給電端子とをハンダを介して接合し、硬化に伴い収縮する接着剤を用いてシート状配線基材に剛性板を接合しようとする場合に、接着剤の収縮によりシート状配線基材に引っ張り力が作用しても、シート状配線基材の外周縁が撓んだり、反りあがったりすることを緩和し、アクチュエータとの剥離を生じにくくすることができる。
【発明を実施するための最良の形態】
【００２３】
以下、本発明の好ましい実施の形態を図面を参照しながら説明する。なお、以下では全ての図を通じて同一又は相当する要素には同一の参照符号を付して、その重複説明を省略する。また、以下の説明ではノズルから液滴を吐出する方向を下方向とし、その反対側を上方向とする。
【００２４】
まず、本発明の実施の形態に係る液滴吐出ヘッドを備えた液滴吐出装置の一例としてインクジェット記録装置１００の構成の概要を、図１〜３を用いて説明する。図１は本発明の実施の形態に係る液滴吐出ヘッドを備えたインクジェット記録装置の平面図、図２はキャリッジをＹ方向に沿って切断した断面図、図３はヘッドアセンブリの分解斜視図である。
【００２５】
インクジェット記録装置１００は、例えば、単独のプリンタ装置としてだけでなく、コピー機能、スキャナ機能、ファクシミリ機能等を備えた多機能装置（ＭＦＤ：Multi  Function  Device）のプリンタ機能としても適用することができるものである。図１に示すように、インクジェット記録装置１００は、本体フレーム２の内部に、主走査方向（以下、「Ｙ方向」という。）に沿って往復走査するキャリッジ３と、このキャリッジ３に搭載された液滴吐出ヘッド１を備えている。
【００２６】
キャリッジ３は、本体フレーム２内にＹ方向に沿って平行状に設けられた後ガイド軸６と前ガイド軸７とに摺動自在に支持されるとともに、キャリッジ駆動モータ１７と無端帯であるタイミングベルト１８とにより、Ｙ方向へ往復移動するように構成されている。被記録媒体である記録用紙Ｐａは、図示しない公知の記録用紙搬送機構により、Ｙ方向と直交する方向（以下、「Ｘ方向」という。）に沿って、液滴吐出ヘッド１の下面側を水平状に搬送される。この記録用紙Ｐａに対して、Ｙ方向に移動する液滴吐出ヘッド１のノズルから下向きに有色液体（インク）の液滴が吐出されて、記録用紙Ｐａに印字される。
【００２７】
図２に示すように、キャリッジ３は、上側が開口された略箱状のヘッドホルダ８を備えている。このヘッドホルダ８の底板部８ａの上面側には、ダンパー装置９が搭載されていて、ダンパー装置９には、本体フレーム２内に静置された有色液体（例えば、ブラックＢＫ、イエローＹ、マゼンタＭ、及びシアンＣのインク）の液体供給源５ａ〜５ｄから有色液体が液体供給管１４ａ〜１４ｄを介して供給され、ダンパー装置９はこれらの有色液体を色毎に貯留する複数の液体貯留室を備えている。さらに、ダンパー装置９は、液体貯留室中の有色液体に滞留する気泡を除去するための排気弁機構９ｂも備えている。
【００２８】
図２及び図３に示すように、ヘッドホルダ８の底板部８ａには開口部（図示略）が貫通形成されており、この開口部の内側では、ダンパー装置９の液体流出口（図示略）と、液滴吐出ヘッド１の液体取入口３７とが、補強フレーム１５の接続穴１５ｂと弾性シール部材（図示略）を介して接続され、ダンパー装置９から液滴吐出ヘッド１に有色液体が色毎に独立して供給される。また、ヘッドホルダ８の底板部８ａには、後述するシート状配線基材３０の延設部３０ｂを挿通させるスリット孔５５と、底板部８ａの下面側に液滴吐出ヘッド１を固着させるための接着剤１９を流し込むための貫通孔５６が設けられている。
【００２９】
そして、ヘッドホルダ８の下面側に下向きに開口形成された凹部８ｂには、全体として略扁平形状を有する液滴吐出ヘッド１が、ノズル４が開口している面を下向きに露出させて収容されて、さらに、凹部８ｂの天井面となる底板部８ａとほぼ平行になるように所定の間隔をおいて接着剤１９で固着されている。
【００３０】
〔液滴吐出ヘッド１〕
次に、液滴吐出ヘッド１の構成について、図３〜１４を用いて説明する。図３はヘッドアセンブリの分解斜視図、図４は液滴吐出ヘッドの分解斜視図、図５は流路ユニットとアクチュエータの積層体の一部断面図、図６は流路ユニットとアクチュエータと配線ユニットとの積層体の平面図、図７は配線ユニットの平面図、図８は図７におけるVIII−VIII断面図、図９は流路ユニットとアクチュエータと別態様の配線ユニットとの積層体の平面図、図１０はシート状配線基材に設けた切欠形状部の一部拡大平面図、図１１は切欠形状部の変形例１を示すシート状配線基材の一部拡大図、図１２はシート状配線基材に設けたダミー配線の位置を説明する図、図１３はヘッドアセンブリの平面図、図１４は図１３におけるXIV−XIV矢視断面の一部分を示す図である。
【００３１】
図３〜５に示すように、液滴吐出ヘッド１は、共通液体室であるマニホールド８１から複数のノズル４に至る複数の個別液体流路８５が形成されている流路ユニット１０と、複数のノズル４のうち所定のノズル４から選択的に液滴を吐出するように個別液体流路８５の各々に対応して設けられた複数の吐出エネルギー付与部４５を有するアクチュエータ１１と、このアクチュエータ１１の吐出エネルギー付与部４５に駆動信号を供給する信号回路や電源配線が設けられた配線ユニット１２と、剛性板１３とを、下方から順に積層して備えている。この液滴吐出ヘッド１は、流路ユニット１０の上面にアクチュエータ１１との間に間隙を有してアクチュエータ１１を囲むように枠状の補強フレーム１５が設けられ、さらに、流路ユニット１０の下面側にノズル４を露出するようにしてフロントフレーム１６が設けられて、ヘッドアセンブリ２０となる。液滴吐出ヘッド１は、ヘッドアセンブリ２０の状態で接着剤１９によりヘッドホルダ８の底板部８ａの下側に組み付けられる。
【００３２】
なお、本実施の形態では、アクチュエータ１１として積層型圧電素子を備えた圧電アクチュエータを採用している。但し、アクチュエータ１１はこれに限定されるものではなく、ヒーターで液体を加熱することによって気泡を発生させて液滴を飛ばし印字するサーマル方式、振動板を静電気力により変形させてノズルから液滴を吐出し印字する静電アクチュエータ方式、ピエゾ素子（圧電素子）に電圧を加え変形させてその力を利用してノズルから液滴を吐出し印字する圧電アクチュエータ方式などのうちいずれの方式で個別液体流路８５の液体に吐出エネルギーを付与するものであってもかまわない。
【００３３】
〔流路ユニット１０〕
まず、流路ユニット１０について説明する。流路ユニット１０は、有色液体を吐出する複数のノズル４と、ダンパー装置９から供給される有色液体を貯留する共通液体室であるマニホールド８１と、マニホールド８１からノズル４に至る複数の個別液体流路(チャンネル)８５とが内部に設けられていて、その下面には複数のノズル４が下向きに開口している。各個別液体流路８５は、個別貯留室である圧力室８３と、マニホールド８１と圧力室８３とを連通する絞り部８２、及びノズル４と圧力室８３とを連通するディセンダ孔８４で形成され、マニホールド８１にある有色液体は、絞り部８２、圧力室８３、及びディセンダ孔８４を通じてノズル４から吐出される。
【００３４】
複数のノズル４は、Ｘ方向に列状に延び、Ｙ方向に一又は複数の列を成している。１つのノズル列に並ぶ複数のノズル４は、互いに所定間隔をおいて配置されて同色の液滴が吐出されるようになっている。
【００３５】
流路ユニット１０の上面には各ノズル４に対応して複数の空間が開口しており、この開口が積層されたアクチュエータ１１により閉じられることで、複数の圧力室８３が流路ユニット１０内に形成されている。複数のノズル４と同様に、複数の圧力室８３は、Ｘ方向に列状に延び、Ｙ方向に一又は複数の列を成している。そして、マニホールド８１は、複数の圧力室８３の列が配置された範囲に対応して、流路ユニット１０の内部にＸ方向に長く延びるように形成されている。
【００３６】
また、流路ユニット１０には、Ｘ方向の一端側に液体供給源５ａ〜５ｄ（図２）に接続されている液体取入口３７が液体の色別に設けられている。液体取入口３７は、マニホールド８１のＸ方向の一端部と連通されていて、液体供給源５ａ〜５ｄからフィルタ（図示略）を介して各液体取入口３７に供給された有色液体は、マニホールド８１に流入し、絞り部８２を介して圧力室８３に至る。圧力室８３内の液体は、該圧力室８３内が後述するアクチュエータの駆動によって吐出圧を受けることによってディセンダ孔８４を通じてノズル４から吐出される。なお、流路ユニット１０は、複数枚のプレート部材の積層体であっても、一体的に形成されたブロック体であってもよい。
【００３７】
〔アクチュエータ１１〕
次に、アクチュエータ１１について説明する。積層型圧電素子で成るアクチュエータ１１は、ＰＺＴ（チタン酸ジルコン酸鉛）等のセラミック材料から成る複数の圧電シート２３，２４の表面に、導電ペースト等の導電材料で個別電極４２又は共通電極４４をスクリーン印刷法等により形成し、複数の圧力室８３（又はノズル４）の各々に１対１で対応して設けられた複数の個別電極４２を有する圧電シートと、複数の圧力室８３（又はノズル４）に共通となるように設けられた共通電極４４を有する圧電シートとを交互に複数積層して構成されている。このように構成されたアクチュエータ１１は、最下層の圧電シート２４上に圧電シート２３を積層方向に挟むように形成された個別電極４２と共通電極４４を備え、積層方向に対向する両電極４２，４４間の圧電シート２３を吐出エネルギー付与部（液体吐出エネルギー付与部）４５としている。なお、吐出エネルギー付与部４５は公知のように個別電極４２と共通電極４４との間に高電圧を印加して、その電極間の圧電シート２３を分極することで活性化される。そして、任意の吐出エネルギー付与部４５では、対応する個別電極４２と共通電極４４との間に、分極方向と平行に電圧を印加することにより、その印加された個別電極４２に対応した圧電シート２３に、当該積層方向の歪みを発生させて、圧力室８３内の液体に吐出圧（吐出エネルギー）を付与する。
【００３８】
アクチュエータ１１上には、各個別電極４２と電気的に接続された駆動信号用端子４１と、圧電シート２３を積層方向に貫通した電気的なスルーホールを介して共通電極４４と電気的に接続された定電位信号用端子４３とが配置されている。複数の駆動信号用端子４１は、圧力室８３(ノズル４)に対応してＸ方向に列を成して配置され、この駆動信号用端子４１の列はＹ方向に一又は複数が並べられて群を成している。また、複数の定電位信号用端子４３は、駆動信号用端子４１の群のＸ方向の両端側に配置されている。
【００３９】
上記構成のアクチュエータ１１の外形状は、流路ユニット１０の外形状よりも一回り小さく形成されている。そして、流路ユニット１０の上面に開口している圧力室８３を閉塞するとともに、流路ユニット１０のＸ方向の一端部に形成された液体取入口３７を露出するように、アクチュエータ１１の下面と流路ユニット１０の上面とが接合されている。
【００４０】
〔配線ユニット１２〕
続いて、配線ユニット１２について説明する。図６に示すように、配線ユニット１２は、全体として帯状を有するシート状配線基材３０と、印字データに基づいてアクチュエータを選択的に駆動させる駆動信号を出力する駆動ＩＣ３１とを備えている。このシート状配線基材３０の長手方向（Ｙ方向）の一端部において、アクチュエータ１１の外形形状とほぼ等しい平面視略矩形状の範囲は、アクチュエータ１１の上面に重ねられて固着される接合部３０ａとなる。この接合部３０ａＹ方向の一側の辺から他端部まで延びる延設部３０ｂがＹ方向に引き出されている。そして、延設部３０ｂの接合部３０ａ寄りには、駆動ＩＣ３１が実装されている。なお、この駆動ＩＣ３１は、図３に示すように、ヘッドホルダ８の側板寄りの部分において、ヒートシンク５７と弾性部材５８とにより挟持され、駆動ＩＣ３１の発熱は接触しているヒートシンク５７に伝わって外部に放熱される。
【００４１】
図７及び図８に示すように、シート状配線基材３０は、電気絶縁性を有する可撓性の合成樹脂材（例えば、ポリイミド樹脂）であるベース材３４の片面に、銅箔層３６が積層され、この銅箔層３６に複数の個別電極給電端子６０および複数の共通電極給電端子６１、そして複数の配線パターン（入力側配線７１，駆動信号出力配線７２，共通電位付与線７３など）がフォトレジスト等により形成され、さらに、銅箔層３６の表面が電気絶縁性を有する可撓性の合成樹脂（例えば、ポリイミド樹脂）からなるカバー層３５で被覆されて、構成されている。ベース材３４の個別電極給電端子６０及び共通電極給電端子６１と重複する部位には孔があけられて、この孔内に露出する個別電極給電端子６０及び共通電極給電端子６１には、ハンダバンプ６３が固着されている。
【００４２】
複数の個別電極給電端子６０は、シート状配線基材３０の接合部３０ａにおいて、アクチュエータ１１の複数の駆動信号用端子４１と対応するようにＸ方向に延びる列を成すように配置され、この個別電極給電端子６０の一又は複数の列がＹ方向に並設されている。複数の個別電極給電端子６０は、ハンダバンプ６３を介してアクチュエータ１１の複数の駆動信号用端子４１と１対１で対応して接続されている。また、各個別電極給電端子６０は、シート状配線基材３０上の駆動信号出力配線７２により駆動ＩＣ３１の出力側と接続されている。複数の個別電極給電端子６０が設けられた接合部３０ａに対して、駆動ＩＣ３１はシート状配線基材３０の延びる方向（Ｙ方向）に配置されているため、複数の駆動信号出力配線７２は複数の個別電極給電端子６０からシート状配線基材３０の延びる方向に引き出されて駆動ＩＣ３１の出力側に接続されている。駆動ＩＣ３１の入力側には、駆動ＩＣ３１に駆動データを入力するための複数の入力側配線７１が接続されている。
【００４３】
また、複数の共通電極給電端子６１は、シート状配線基材３０の接合部３０ａであって個別電極給電端子６０の群のＸ方向両側に設けられ、各共通電極給電端子６１は、ハンダバンプ６３を介してアクチュエータ１１の定電位信号用端子４３の端子と接続されている。各共通電極給電端子６１は、シート状配線基材３０上で共通電極４４に定電位を付与するための共通電位付与線７３と接続され、接地されている。
【００４４】
なお、本実施の形態において、シート状配線基材３０の延設部３０ｂの長手方向の中途部にチップ状の駆動ＩＣ３１が搭載されたＣＯＦ（チップ・オン・フィルム）が用いられている。また、シート状配線基材３０は、駆動ＩＣ３１が実装された第一の配線板としてのＣＯＦと、ＣＯＦに設けられた複数の入力側配線７１の数と対応する配線数を有する平行な配線パターンが形成された第二の配線板としての汎用のＦＦＣ（フレキシブル・フラット・ケーブル）とから構成してもよい。
【００４５】
続いて、上記構成のシート状配線基材３０が備える特徴的構造について説明する。
【００４６】
図４及び図６に示すように、シート状配線基材３０は、平面視略矩形状のアクチュエータ１１と重ねられた範囲（接合部３０ａ）の外周縁のうち、この外周縁と駆動信号出力配線７２とが交わる範囲を少なくとも除いた部分に、「切欠形状部８０」が形成されている。図６では、切欠形状部８０を斜線で示している。この切欠形状部８０は、シート状配線基材３０のアクチュエータ１１と重ねられた範囲のうち複数の給電端子６０，６１が設けられた部分の外周に沿って形成されている。
【００４７】
図６に示すように、シート状配線基材３０の長尺方向の一側の端部の略矩形状の範囲が接合部３０ａとされ、この接合部３０ａの一辺からＹ方向に引き出された延設部３０ｂに駆動ＩＣ３１が実装されている場合、接合部３０ａに配置される各個別電極給電端子６０から駆動信号出力配線７２がＹ方向に引き出されて延びている。このような場合には、切欠形状部８０は、接合部３０ａの外周縁のうち個別電極給電端子６０から駆動信号出力配線７２が延びる方向を除いた３辺に、複数の給電端子６０，６１が設けられた部分の外周に沿って設けられる。なお、切欠形状部８０は駆動信号出力配線７２が延びる方向を除いた接合部３０ａの３辺に連続的に設けられているが、断続的に設けてもよく、また一部分のみに設けられていてもよい。
【００４８】
なお、シート状配線基材３０は、上述の形態に限らず、図９に示すように、シート状配線基材３０の長尺方向の略中央の略矩形状の範囲が接合部３０ａとされ、この接合部３０ａからＹ方向の両側に延設部３０ｂが引き出され、この両側の延設部３０ｂのそれぞれに駆動ＩＣ３１が存在するような形態もあり得る。このような場合には、切欠形状部８０は、平面視略矩形状の接合部３０ａの４辺の外周縁のうち個別電極給電端子６０から駆動信号出力配線７２が延びる方向（Ｙ方向）を除いた２辺に、複数の給電端子６０，６１が設けられた部分の外周に沿って設けられる。
【００４９】
切欠形状部８０には、図１０に示すようにシート状配線基材３０の接合部３０ａの外周縁に沿って位置している各給電端子６０，６１間のシート状配線基材３０の範囲を分断するように外周縁から切り欠かれた略台形状の切欠７９，７９，，，が連続して設けられている。各切欠７９の深さ（切欠量）は、シート状配線基材３０の接合部３０ａの外周縁から、各給電端子６０，６１が配置されている位置までとされている。切欠形状部８０が設けられたシート状配線基材３０の端縁は、一又は複数の切欠７９，７９，，，によって略凹凸形状を有している。なお、切欠形状部８０を形成している切欠７９は台形に限定されない。例えば、図１１に示すように、シート状配線基材３０の一部の端縁を波形状に形成して、切欠形状部８０としてもよい。
【００５０】
さらに、図１２に示すように、シート状配線基材３０の接合部３０ａの外周縁において、切欠形状部８０の切欠７９の縁に該当する部分に、何れの給電端子６０，６１とも接続されないダミー配線パターン７８を設けてもよい。このダミー配線パターン７８は、他の配線パターンと同様に、銅箔層３６にフォトレジスト等により形成される。なお、図１２では、ダミー配線パターン７８が形成される範囲を斜線で示しており、ダミー配線パターン７８の具体的な配線パターンについては限定されない。このように、シート状配線基材３０にダミー配線パターン７８を設けることによって、切欠７９，７９，，，が設けられた切欠形状部８０の剛性を高めることができる。さらに、シート状配線基材３０の切欠形状部８０にダミー配線パターン７８を設けることによれば、シート状配線基材３０の自由端である外周縁が変形しにくくなり、後述する剛性板１３とシート状配線基材３０との接合部分、並びに、アクチュエータ１１とシート状配線基材３０との接合部分において、シート状配線基材３０の剥離を防止することができる。
【００５１】
〔剛性板１３〕
続いて、剛性板１３について説明する。図４及び図１３に示すように、剛性板１３は、シート状配線基材３０を介してアクチュエータ１１上に積層するように、シート状配線基材３０の上面においてアクチュエータ１１と対応する位置（アクチュエータ１１と積層方向に重なる位置）に接着剤で固定されている。剛性板１３は、アクチュエータ１１及びシート状配線基材３０の接合部３０ａのほぼ全面を覆う大きさを有する平面視長方形状の扁平な板材である。剛性板１３は、金属製の板材をプレス加工することで形成され、シート状配線基材３０よりも剛性が高く、且つ、アクチュエータ１１及びシート状配線基材３０よりも熱伝導性に優れた素材からなっており、例えば、アルミニウム、銅、ＳＵＳなどの金属板が用いられている。
【００５２】
この剛性板１３は、シート状配線基材３０を介してアクチュエータ１１に密着することで、液滴吐出ヘッド１全体の剛性を高めるとともに、駆動ＩＣ３１の発熱やアクチュエータ１１自体の発熱などの局所的な発熱により不均一となり得るアクチュエータ１１や流路ユニット１０の熱分布を均一化させる機能を有している。
【００５３】
平面視略矩形状の剛性板１３には、その４辺の外周縁において、内側方向に凸形状となるような切欠１３ａが設けられている。この切欠１３ａは、詳しくは後述するが、液滴吐出ヘッド１と補強フレーム１５とを接着固定したときに、補強フレーム１５の開口部１５ｃの内周と、剛性板１３、シート状配線基材３０、及びアクチュエータ１１の積層体の外周との間隙を封止する封止材５３を注入する際に、注入管を挿入するために利用される。このため、切欠１３ａは、剛性板１３の外周縁の少なくとも一箇所には設けられるのが好ましい。
【００５４】
剛性板１３に設けられた切欠１３ａの奥行き寸法（内側への切り込み量）は、補強フレーム１５の開口部１５ｃとの間隙５０に、封止材５３の注入管を挿入できるように、注入管の径や大きさに合わせて設定されている。なお、切欠１３ａは、上記形状に限られることはなく、例えば、平面視略矩形状の剛性板１３の４つの角部を切り落としたような形状であってもよいし、切欠１３ａの幅や本数、配置位置など適宜変形可能である。
【００５５】
〔補強フレーム１５〕
次に、補強フレーム１５について説明する。図３、図１３及び図１４に示すように、補強フレーム１５は、流路ユニット１０よりも剛性に優れた素材（例えば、ＳＵＳなどの金属板）からなり、アクチュエータ１１に対応した開口部１５ｃを貫通形成した矩形枠形状を有する。平面視において補強フレーム１５の外形状は、流路ユニット１０の外形状よりもひと回り大きく形成されており、また、補強フレーム１５の開口部１５ｃの内周は、流路ユニット１０の外形状よりも小さく且つアクチュエータ１１の外形状よりも大きい。図２にも示すように、この補強フレーム１５は、アクチュエータ１１、配線ユニット１２及び剛性板１３の積層体の周囲を間隔をおいて囲むようにして設けられ、流路ユニット１０の上面に積層された状態で流路ユニット１０に接着固定されている。そして、流路ユニット１０の上面と、アクチュエータ１１、配線ユニット１２及び剛性板１３の積層体と補強フレーム１５の内周との間隙５０は、封止材５３（図１７、参照）で封止される。このように、液滴吐出ヘッド１に補強フレーム１５を設けることで、薄い扁平形状の流路ユニット１０の変形や歪みを防止している。
【００５６】
〔フロントフレーム１６〕
次に、フロントフレーム１６について説明する。図２及び図３に示すように、フロントフレーム１６は、平面視略Ｕ字状の扁平な板材で、流路ユニット１０の周囲を囲むように配置され、補強フレーム１５の下面に固着されている。このフロントフレーム１６によって、流路ユニット１０の複数のノズル４が開口している面とヘッドホルダ８の周囲との段差を解消し、払拭部材等で流路ユニット１０のノズル面をクリーニングする際の引っ掛かりを防止している。
【００５７】
〔液滴吐出ヘッド１の組み立て方法〕
次に、上記構成の液滴吐出ヘッド１及びヘッドアセンブリ２０の組み立て方法について説明する。図１５は補強フレームと、アクチュエータと配線ユニットと剛性板とを積層接合した様子を示す平面図、図１６は切欠形状部の変形例２を示すシート状配線基材の一部拡大図、図１７は補強フレームとアクチュエータとの間隙に絶縁性樹脂を充填するために注入管を差し込んだ状態の断面図、図１８は間隙内に封止材が充填された状態を示す断面図、図１９は剛性板の切欠の位置で間隙内に封止材が充填された状態を示す断面図である。
【００５８】
液滴吐出ヘッド１の組み立てに際して、まず、図１３〜１５に示すように、流路ユニット１０の圧力室孔とアクチュエータ１１の個別電極とが位置決めされて、積層固定される。次いで、アクチュエータ１１の表面端子４１，４３に対して、これに対応するシート状配線基材３０の給電端子６０，６１とが対向するように、アクチュエータ１１とシート状配線基材３０とを位置合わせして重ねたうえ、表面端子４１，４３と給電端子６０，６１のいずれか一方に予め設けられたハンダバンプ６３をバーヒーターなどで所定温度まで加熱して溶融させて、アクチュエータ１１とシート状配線基材３０とを合わせる方向へ加圧することにより接合される。このようにしてアクチュエータ１１と接合されたシート状配線基材３０の一端部が、アクチュエータ１１に重なる接合部３０ａとなる。
【００５９】
このように、各給電端子６０，６１は、各表面端子４１，４３とハンダバンプ６３を介して加熱及び加圧されて接続されることから、アクチュエータ１１とシート状配線基材３０との接合時に、シート状配線基材３０の隣接する給電端子６０，６１間には、給電端子６０，６１を中心に線膨張による長さ変化が生じる。ここで、シート状配線基材３０の接合部３０ａの外周縁に切欠形状部８０が設けられているので、隣接する給電端子６０，６１間に生じる圧縮力を分断することができ、シート状配線基材３０の撓みや反りを低減することができる。さらに、シート状配線基材３０において、給電端子６０，６１と駆動信号用端子４１とを接合している最も外縁側に位置するハンダバンプ６３よりも外側に切欠形状部８０が設けられているので、シート状配線基材３０の最も外縁側に位置するハンダバンプ６３と端縁との間の部分に作用する引っ張り力の大きさやその方向が分散されるため、シート状配線基材３０の撓みや反りを低減することができる。このように、シート状配線基材３０の撓みや反りを低減することで、給電端子６０，６１と表面端子４１，４３との剥離が生じ難く、電気的な不具合を防ぐことができる。
【００６０】
次に、その体積が収縮して硬化することで被接合材同士を接着する接着剤６４として、液状接着剤例えば、瞬間接着剤）を、シート状配線基材３０の接合部３０ａの上面の複数箇所に点付けする。接着剤６４は、シート状配線基材３０へ塗布するとき、及び塗布した直後は流体状であるため、シート状配線基材３０の接合部３０ａの上に剛性板１３を配置して相互に合わさる方向に加圧すると、接着剤６４は、両者の間で外周縁に向かって広がる。なお、液状接着剤６４は、エポキシ系接着剤、シリコン系接着剤、ＵＶ接着剤や瞬間接着剤など、市場に汎用として流通しているものが含まれる。一般的には、例えば瞬間接着剤のような溶媒を含む接着剤（溶媒が水）である場合など、硬化時に溶媒が蒸発して体積が減損することから、硬化後の収縮が著しい傾向がある。
【００６１】
ここで、剛性板１３とシート状配線基材３０の間に介在する接着剤６４は、塗布量が過剰である場合や、加圧により塗布範囲が広がり過ぎた場合に、剛性板１３の外周縁を越えてはみ出してしまうことある。剛性板１３からはみ出した接着剤６４は、シート状配線基材３０とアクチュエータ１１との間に侵入してショートを引き起こしたり、硬化時に外周縁から最も近い表面端子４１，４３と給電端子６０，６１との接合を剥がしたりする虞がある。一方、接着剤６４の塗布量が過小である場合や、接着剤６４の塗布範囲が剛性板１３の外周縁よりも著しく内側である場合には、シート状配線基材３０と剛性板１３との接着が不十分となり、剥離が生じ易くなるだけでなく、剛性が十分に得られないことがある。このことから、硬化後の接着剤６４は、最も外縁側に位置する給電端子６０，６１と表面端子４１，４３とが接合されている位置を含めて、剛性板１３の縁まで広がっていることが望ましい。このため、図１４に示すように、剛性板１３とシート状配線基材３０とを接合する接着剤６４は、硬化後に、最も外縁側に位置する給電端子６０，６１と表面端子４１，４３とが接合されている位置を含んで剛性板１３の縁まで存在するように、剛性板１３とシート状配線基材３０との間で加圧される。
【００６２】
また、図１４及び図１５に示すように、シート状配線基材３０上に剛性板１３が重ねられたときに、シート状配線基材３０の上面において剛性板１３の切欠１３ａと重なる部分は、剛性板１３に被覆されない。このように、シート状配線基材３０の接合部３０ａの剛性板１３で被覆されない範囲の表面には、シート状配線基材３０と剛性板１３とを接合する接着剤６４が広がっている。この接着剤６４が硬化に伴って収縮すると、接着剤６４と接触しているシート状配線基材３０の上面が内側へ引っ張られる。ここで、シート状配線基材３０の接合部３０ａの自由端である部分には切欠形状部８０が設けられているため、外形線が略直線状である場合と比較して、接着剤６４の塗布面積が小さく、接着剤６４の収縮により生じる引っ張り力が全体的に小さくなる。さらに、シート状配線基材３０の切欠形状部８０の外形線は、略直線状でなく折れ線状又は曲線状に形成されているため、接合部３０ａの最も外縁側に位置する複数の給電端子６０，６１から端縁までの距離は一定ではなく、これに加えて、これらの給電端子６０，６１間が切り欠かれているため、シート状配線基材３０の隣接する給電端子６０，６１間に相当する部分に生じる引っ張り力を分散することができる。つまり、シート状配線基材３０の接合部３０ａの外周縁に切欠形状部８０が設けられることで、収縮する接着剤６４によりシート状配線基材３０に作用する引っ張り力の方向や大きさが分散される。よって、シート状配線基材３０とアクチュエータ１１との接合部（ハンダバンプ６３）にアクチュエータ１１から引き剥がそうとする方向に掛かる力が緩和され、アクチュエータ１１からのシート状配線基材３０の剥離を防止することができる。
【００６３】
シート状配線基材３０の接合部３０ａにおいて、剛性板１３で被覆されていない範囲は、剛性板１３によって引っ張り力が抑制されておらず、他の部分と比較して大きな引っ張り力が作用する。しかし、シート状配線基材３０の接合部３０ａの剛性板１３で被覆されていない範囲にも切欠形状部８０が設けられているので、このようにより強い引っ張り力が作用していても、効果的にシート状配線基材３０の反り上がりが防止される。従って、シート状配線基材３０の切欠形状部８０は、シート状配線基材３０の接合部３０ａにおいて剛性板１３で被覆されていない範囲に、少なくとも設けられることが望ましい。
【００６４】
なお、図１０に示すように、シート状配線基材３０の外周縁に位置している給電端子６０，６１の数に対する切欠７９，７９，，，の数が、等しいかそれ以上であると、１つの給電端子６０，６１と表面端子４１，４３との接合部あたりに作用する引っ張り力がより小さくなるので、シート状配線基材３０のアクチュエータ１１からの剥離をより効果的に防止することができる。但し、図１６に示すように、シート状配線基材３０の外周縁に沿って位置している複数の給電端子６０，６１ごとに切欠７９，７９，，，を設けることにより切欠形状部８０が形成されていても、アクチュエータ１１からのシート状配線基材３０の剥離防止に対して十分な効果を得ることができる。また、シート状配線基材３０の切欠形状部８０は、接合部３０ａの外周縁であって駆動信号出力配線７２が通らない部分に連続して設けられているのが効果的であるが、切欠形状部８０が、反り上がりを特に抑制したい箇所に断続的に設けられたり、一部分のみ設けられたりしていても、反り上がりを抑制する効果を十分に得ることができる。
【００６５】
次に、組立工程に戻ると、剛性板１３がアクチュエータ１１に接着された流路ユニット１０の上面に、補強フレーム１５を接着剤で固定する。ここで、シート状配線基材３０の延設部３０ｂを、補強フレーム１５の開口部１５ｃから上面側を通るように持ち上げて、開口部１５ｃの内周にアクチュエータ１１を収容させたうえで、流路ユニット１０と補強フレーム１５とを接着する。
【００６６】
流路ユニット１０と接合された補強フレーム１５の開口部１５ｃの内周には、流路ユニット１０の上面と、アクチュエータ１１、配線ユニット１２及び剛性板１３の積層体の外周との間に間隙５０が形成されている。この間隙５０は、アクチュエータ及び流路ユニットの積層体と補強フレームとを組立てたときの位置ズレ差を吸収するための幅狭な空隙である。間隙５０は、アクチュエータ１１の全周囲に亘って略同一幅寸法Ｗ１を有する溝状に形成されている。但し、図１３及び図１４に示すように、剛性板１３の切欠１３ａが設けられた位置においては、剛性板１３の周囲の間隙５０は、他の部分の幅寸法Ｗ１よりも大きい幅寸法Ｗ２を有する（Ｈ２＞Ｈ１）。例えば、幅寸法Ｗ１は、約０.１ｍｍ〜０．５mm程度で、幅寸法Ｗ２は、約０．６ｍｍ〜１．２mm程度とすることができる。
【００６７】
続いて、間隙５０に、液状の封止材５３が充填される。ここで、図１７及び図１８に示すように、シリコン樹脂等の液状の封止材５３が充填された注入管５４の先端を、剛性板１３の切欠１３ａによって間隙５０の広くなった空間に差し込んで、液状の封止材５３を注入する。液状の封止材５３は、剛性板１３の切欠１３ａが設けられた位置から、これに連通している溝状の間隙５０内に順次充填される。このように、剛性板１３の切欠１３ａを利用して封止材５３を注入することによれば、間隙５０の幅寸法Ｗ１を、液状の封止材５３を注入するための注入管５４の管径（例えば、０．６〜０．８ｍｍ程度）よりも小さくすることができる。よって、補強フレーム１５の開口部１５ｃの内周を必要以上に大きくしなくともよいので、補強フレーム１５の小型化を図ることができる。
【００６８】
また、図１８に示すように、シート状配線基材３０の外周縁において切欠形状部８０が設けられている部分では、間隙５０内に充填された封止材５３が、切欠７９まで入り込んでいる。これにより、封止材５３は間隙５０に確実に留まって、アクチュエータ１１と流路ユニット１０とを封止する。よって、アクチュエータ１１と流路ユニット１０とのシール性を向上することができる。さらに、図１９に示すように、剛性板１３の切欠１３ａと、シート状配線基材３０の切欠形状部８０の切欠７９が重複している部分では、切欠１３ａにより間隙５０となる空間がより広くなり封止材５３が充填され易く、切欠７９により封止材５３がアクチュエータ１１と流路ユニット１０の間に導入され易くなるため、確実に封止材５３が充填されて、更なるシール性の向上を図ることができる。なお、切欠１３ａは、本実施形態では封止材を充填するための注入管を挿入するための切欠であるが、目的や機能によって形状、大きさ、配置などが異なる切欠が設けられることがある。しかしながら、剛性板１３の外周縁に設けられた切欠１３であれば、本実施形態の構成を適用し、効果を得ることができる。  
【００６９】
このように組立てられた補強フレームと流路ユニット１０とは、図２に示すように、シート状配線基材３０の延設部３０ｂを、ヘッドホルダ８の底板部８ａに穿設したスリット孔５５に挿通させて、補強フレーム１５の上面が、ヘッドホルダ８の底板部８ａの下面と隙間を空けて平行状になるように位置合わせする。そして、底板部８ａの貫通孔５６から、接着剤１９を流し込んで、液滴吐出ヘッド１をヘッドホルダ８に固着する。次いで、液滴吐出ヘッド１のノズル面を囲むようにフロントフレーム１６を補強フレーム１５の前面に接着剤で固着される。
【００７０】
以上の通り、アクチュエータ１１の表面端子４１，４３と、シート状配線基材３０の給電端子６０，６１とをハンダ（ハンダバンプ６３）を介して接合したうえ、硬化に伴い収縮する接着剤６４を用いてシート状配線基材３０に剛性板１３を接合しようとする場合に、接着剤６４の収縮によりシート状配線基材３０に引っ張り力が作用しても、シート状配線基材３０の外周縁が撓んだり反り上がったりすることが緩和されて、アクチュエータ１１からの剥離が生じ難くなる。また、流路ユニット１０、アクチュエータ１１、配線ユニット１２及び剛性板１３の積層体に補強フレーム１５を接合するにあたって、補強フレーム１５の開口部１５ｃと前記積層体との間隙５０に封止材５３を充填する際に、シート状配線基材３０の切欠形状部８０の端縁に封止材５３が充填され易く、アクチュエータ１１と流路ユニット１０との間を確実に封止することができる。よって、アクチュエータ１１と流路ユニット１０との間のシール性が向上し、液体漏れに起因する電気的な不具合の発生を防止できる。
【産業上の利用可能性】
【００７１】
本発明に係る液滴吐出ヘッドの構造は、配線ユニットが備えるシート状配線基材を硬化に伴って収縮する接着剤を用いて被接合材と接合する際に、利用することができる。
【図面の簡単な説明】
【００７２】
【図１】本発明の実施の形態に係る液滴吐出ヘッドを備えたインクジェット記録装置の平面図である。
【図２】キャリッジをＹ方向に沿って切断した断面図である。
【図３】ヘッドアセンブリの分解斜視図である。
【図４】液滴吐出ヘッドの分解斜視図である。
【図５】流路ユニットとアクチュエータの積層体の一部断面図である。
【図６】流路ユニットとアクチュエータと配線ユニットとの積層体の平面図である。
【図７】配線ユニットの平面図である。
【図８】図７におけるVIII−VIII断面図である。
【図９】流路ユニットとアクチュエータと別態様の配線ユニットとの積層体の平面図である。
【図１０】シート状配線基材に設けた切欠形状部の一部拡大平面図である。
【図１１】切欠形状部の変形例１を示すシート状配線基材の一部拡大図である。
【図１２】シート状配線基材に設けたダミー配線の位置を説明する図である。
【図１３】ヘッドアセンブリの平面図である。
【図１４】図１３におけるXIV−XIV矢視断面の一部分を示す図である。
【図１５】補強フレームと、アクチュエータと配線ユニットと剛性板とを積層接合した様子を示す平面図である。
【図１６】切欠形状部の変形例２を示すシート状配線基材の一部拡大図である。
【図１７】補強フレームとアクチュエータとの間隙に絶縁性樹脂を充填するために注入管を差し込んだ状態の断面図である。
【図１８】間隙内に封止材が充填された状態を示す断面図である。
【図１９】剛性板の切欠の位置で間隙内に封止材が充填された状態を示す断面図である。
【図２０】従来の液滴吐出ヘッドの一部断面図である。
【図２１】従来の液滴吐出ヘッドの一部断面図である。
【図２２】従来の液滴吐出ヘッドの一部平面図である。
【図２３】従来の液滴吐出ヘッドの一部断面図である。
【符号の説明】
【００７３】
１  液滴吐出ヘッド
２  本体フレーム
３  キャリッジ
４  ノズル
８  ヘッドホルダ
１０  流路ユニット
１１  アクチュエータ
１２  配線ユニット
１３  剛性板
１３ａ  切欠
１５  補強フレーム
１６  フロントフレーム
２０  ヘッドアセンブリ
２３  圧電シート
２４  基板
３０  シート状配線基材
３０ａ  接合部
３０ｂ  可撓部
３１  駆動ＩＣ
４１  駆動信号用端子（表面端子）
４２  個別電極
４３  定電位信号用端子（表面端子）
４４  共通電極
６０  個別電極給電端子
６１  共通電極給電端子
６３  ハンダバンプ
７１  入力側配線
７２  駆動信号出力配線
７３  共通電位付与線
７９  切欠
８０  切欠形状部
８１  マニホールド
８２  絞り部
８３  圧力室
８４  ディセンダ孔
８５  個別液体流路
１００  インクジェット記録装置
【図１】
2009241507.tif 000003
【図２】
2009241507.tif 000004
【図３】
2009241507.tif 000005
【図４】
2009241507.tif 000006
【図５】
2009241507.tif 000007
【図６】
2009241507.tif 000008
【図７】
2009241507.tif 000009
【図８】
2009241507.tif 000010
【図１０】
2009241507.tif 000011
【図１１】
2009241507.tif 000012
【図１２】
2009241507.tif 000013
【図１３】
2009241507.tif 000014
【図１４】
2009241507.tif 000015
【図１５】
2009241507.tif 000016
【図１６】
2009241507.tif 000017
【図１７】
2009241507.tif 000018
【図１８】
2009241507.tif 000019
【図１９】
2009241507.tif 000020
【図２０】
2009241507.tif 000021
【図２１】
2009241507.tif 000022
【図２２】
2009241507.tif 000023
【図２３】
2009241507.tif 000024
【図９】
2009241507.tif 000025